(57)【要約】【課題】健康又は美容に対し高い効力を発揮でき、且つ低コスト化が可能なローラ器具を提供する。【解決手段】ローラ器具１は、ローラ２、シャフト３及びハンドルを備え、ローラ２において回転方向Ａに沿って１つおきに配された側面５ａ，５ｂ，５ｃには、ゲルマ粒３０が設けられている。ゲルマ粒３０は、側面５ａ，５ｂ，５ｃから円錐状に突出しており、側面５ａに設けられた第１ゲルマ粒３０ａと、側面５ｂに軸方向に沿って一対設けられた第２ゲルマ粒３０ｂ，３０ｂと、側面５ｃに軸方向に沿って一対設けられた第３ゲルマ粒３０ｃ，３０ｃと、を含んでいる。第１ゲルマ粒３０ａは、軸方向において第２ゲルマ粒３０ｂ，３０ｂ間に位置するよう配置され、第２ゲルマ粒３０ｂ，３０ｂは、軸方向において第３ゲルマ粒３０ｃ，３０ｃ間に位置するよう配置されている。【選択図】図４
2011045560.tif 000002
【特許請求の範囲】
【請求項１】
少なくとも６面以上の側面を有する多角柱状外形のローラ部と、
前記ローラ部をその軸回りに回動可能に支持するための支持部と、
前記支持部に固定された把持部と、を備えたローラ器具であって、
前記ローラ部において一の回転方向に沿って１つおきに配された第１、第２及び第３側面には、ゲルマニウムを含む材料からなる錐状凸部が設けられており、
前記錐状凸部は、前記ローラ部の第１側面に１つ又は軸方向に沿って一対設けられた第１錘状凸部と、前記ローラ部の第２側面に軸方向に沿って一対設けられた第２錘状凸部と、前記ローラ部の第３側面に軸方向に沿って一対設けられた第３錘状凸部と、含んで構成され、
前記第１錐状凸部は、軸方向において前記第２錘状凸部の間に位置するよう配置され、
前記第２錐状凸部は、軸方向において前記第３錘状凸部の間に位置するよう配置されていることを特徴とするローラ器具。
【請求項２】
前記第１錐状凸部は、前記ローラ部の第１側面における軸方向中央部に位置するよう配置され、
前記第２錐状凸部は、前記ローラ部の第２側面における軸方向中央部と軸方向一端部との間、及び軸方向中央部と軸方向他端部との間に位置するよう配置され、
前記第３錐状凸部は、前記ローラ部の第３側面における軸方向一端部及び軸方向他端部に位置するよう配置されていることを特徴とする請求項１記載のローラ器具。
【請求項３】
前記ローラ部は、六角柱状外形を呈することを特徴とする請求項１又は２記載のローラ器具。
【請求項４】
前記支持部は、前記ローラ部を回動可能に軸支する軸体であり、その軸方向一端部が前記ローラ部を貫通するように該ローラ部に内挿され、
前記把持部は、棒状を呈し、前記ローラ部に対し同軸で並設されるように前記支持部の軸方向他端部に固定されていることを特徴とする請求項１〜３の何れか一項記載のローラ器具。
【請求項５】
前記支持部の軸方向一端部に着脱可能に固定されるアームをさらに備え、
前記アームは、軸方向に沿って真っ直ぐ延びる基端部と、前記基端部に連続し且つ軸方向に沿って弓状に延びる中間部と、前記中間部に連続し且つ前記基端部側に向けて湾曲するように延びる先端部と、を含んで構成され、
前記アームの先端部の端面には、ゲルマニウムを含む材料からなる錐状凸部が形成されていることを特徴とする請求項４記載のローラ器具。
【請求項６】
前記把持部の軸方向他端面には、ゲルマニウムを含む材料からなる錐状凸部が形成されていることを特徴とする請求項４又は５記載のローラ器具。
【請求項７】
軸方向と交差する方向に並設された第１ローラ部及び第２ローラ部を前記ローラ部として備えており、
前記支持部は、板状を呈し、前記第１及び第２ローラ部の両端部を軸方向に挟むように一対設けられ、
前記把持部は、棒状を呈し、軸方向と平行になるように前記一対の支持部間に固定されていることを特徴とする請求項１〜３の何れか一項記載のローラ器具。
【請求項８】
前記第１ローラ部の第１、第２及び第３側面は、第１回転方向に沿って１つおきに配されていると共に、前記第２ローラ部の第１、第２及び第３側面は、第１回転方向と反対の第２回転方向に沿って１つおきに配されていることを特徴とする請求項７記載のローラ器具。
【発明の詳細な説明】
【技術分野】
【０００１】
本発明は、ローラ器具に関し、特に、使用者の肩こりや筋肉痛の低減、疲労回復、たるみ改善又は痩身等を図るローラ器具に関する。
【背景技術】
【０００２】
従来のローラ器具としては、ローラ部が軸部（支持部）によって把持部に回動可能に取付けられ、ローラ部の側面に複数の凸部が設けられたものが知られている。このようなローラ器具では、ローラ部の側面を使用者の身体に当てつつローラ部を回転させながら動かすことで、側面の複数の凸部によって身体に押圧刺激が加えられる。
【０００３】
例えば、特許文献１には、棒状の把持部と、皮膚に接触する６つの接触面を備えた棒状のローラ部と、ローラ部を把持部に対して回転可能に取付けるための軸部と、を備えたローラ器具が記載されている。この特許文献１に記載されたローラ器具では、ローラ部の６つの各面に、粒状の半導体が複数取付けられている。
【先行技術文献】
【特許文献】
【０００４】
【特許文献１】特開２００８−１１９１８１号公報
【発明の概要】
【発明が解決しようとする課題】
【０００５】
ここで、近年、健康や美容に対する関心は益々高まっており、そのため、上述したようなローラ器具として、健康又は美容に対し高い効力を発揮するものが望まれている。他方、昨今の市場ニーズにおいては、ローラ器具の低コスト化が強く求められている。
【０００６】
そこで、本発明は、健康又は美容に対し高い効力を発揮でき、且つ低コスト化が可能なローラ器具を提供することを課題とする。
【課題を解決するための手段】
【０００７】
上記課題を解決するため、本発明に係るローラ器具は、少なくとも６面以上の側面を有する多角柱状外形のローラ部と、ローラ部をその軸回りに回動可能に支持するための支持部と、支持部に固定された把持部と、を備えたローラ器具であって、ローラ部において一の回転方向に沿って１つおきに配された第１、第２及び第３側面には、ゲルマニウムを含む材料からなる錐状凸部が設けられており、錐状凸部は、ローラ部の第１側面に１つ又は軸方向に沿って一対設けられた第１錘状凸部と、ローラ部の第２側面に軸方向に沿って一対設けられた第２錘状凸部と、ローラ部の第３側面に軸方向に沿って一対設けられた第３錘状凸部と、含んで構成され、第１錐状凸部は、軸方向において第２錘状凸部の間に位置するよう配置され、第２錐状凸部は、軸方向において第３錘状凸部の間に位置するよう配置されていることを特徴とする。
【０００８】
この本発明のローラ器具を使用する場合、例えば、把持部を握ってローラ部の側面を使用者の身体に当てつつ、使用者の身体のリンパ節へ向かう血流の流れに沿って、ローラ部を回転させながら移動させる。これにより、錐状凸部に含まれるゲルマニウムに起因した効果（以下、単に「ゲルマニウム効果」という）によって使用者の身体に蓄積された老廃物等（老廃物、脂肪、余剰水分、毒素等）が揉みほぐされると共に、ローラ部の外形及び錐状凸部の形状に起因して身体に適度な押圧刺激が加えられて老廃物等がさらに揉みほぐされつつ、かかる老廃物等がリンパ節へ向けて流される。よって、使用者の血行及びリンパの流れを好適にスムーズにすることができ、例えば身体のこり、疲労、筋肉痛、むくみ（セルライト）、又は顔のたるみ等を好適に低減することが可能となる。
加えて、第１錐状凸部は、軸方向において第２錘状凸部の間に位置するよう配置され、第２錐状凸部は、軸方向において第３錘状凸部の間に位置するよう配置されている。つまり、身体に当たる一対の錐状凸部にあっては、ローラ部の回転に伴ってその間隔が狭まるように又は拡がるようになっている。よって、ローラ部を回転させながら移動させると、蓄積された老廃物等が積極的に流れ出すような「もみ込む」又は「もみ出す」効果を身体に与えることができる。従って、従来技術に対し、使用者の血行及びリンパの流れを一層スムーズにすることができる。その結果、健康又は美容に対し高い効力を発揮することが可能となる。
ここで、上記のように、凸形状が円錐状である錐状凸部が形成されていることから、ゲルマニウム効果を生じさせる面が錐側面となる。そのため、ゲルマニウム効果の及ぶ範囲を、錐状凸部の突出方向上方だけでなく、錐状凸部の周辺にまで拡げることができる。つまり、錐状凸部は、上述の押圧刺激を好適に与えるだけでなく、ゲルマニウム効果を広範囲に及ぼすことができる形状となっている。その結果、ローラ部の全ての側面に錐状凸部を形成せずに、１つおきに配された第１、第２及び第３側面に錐状凸部を形成しても、充分なゲルマニウム効果を得ることができる。よって、錐状凸部の数を低減でき、低コスト化が可能となる。
さらに、前述のように、第１錐状凸部が第２錘状凸部の間に位置する共に第２錐状凸部が第３錘状凸部の間に位置するよう配置されていることから、錐状凸部は、回転方向に重ならないよう軸方向に互いに離れて配置されることになる。よって、ローラ部の側面を使用者の身体に当てつつローラ部を回転させながら移動させたとき、一の錐状凸部による押圧刺激及びゲルマニウム効果が、他の錐状凸部による押圧刺激及びゲルマニウム効果と重なることが少なくなる。よって、錐状凸部を効率よく適正な数で配置でき、低コスト化が一層可能となる。
従って、本発明によれば、健康又は美容に対し高い効力を発揮でき、且つ低コスト化が可能となる。
【０００９】
また、第１錐状凸部は、ローラ部の第１側面における軸方向中央部に位置するよう配置され、第２錐状凸部は、ローラ部の第２側面における軸方向中央部と軸方向一端部との間、及び軸方向中央部と軸方向他端部との間に位置するよう配置され、第３錐状凸部は、ローラ部の第３側面における軸方向一端部及び軸方向他端部に位置するよう配置されていることが好ましい。この場合、身体に当たる一対の錐状凸部の間隔の変化が、ローラ部の回転に伴って最も大きくなるように構成される。よって、上記「もみ込む」又は「もみ出す」効果を効果的に身体に与えることができ、健康又は美容に対し一層高い効力を発揮することが可能となる。
【００１０】
また、ローラ部は、六角柱状外形を呈することが好ましい。この場合、ローラ部の側面を使用者の身体に当てつつローラ部を回転させながら移動させたとき、一層適度な押圧刺激がローラ部の外形に起因して身体に加えられることとなる。
【００１１】
また、支持部は、ローラ部を回動可能に軸支する軸体であり、その軸方向一端部がローラ部を貫通するように該ローラ部に内挿され、把持部は、棒状を呈し、ローラ部に対し同軸で並設されるように支持部の軸方向他端部に固定されている場合がある。このようなローラ器具は、肩や顔周りの部位に対し特に好適に使用することができ、肩や顔周りの部位に対し上記作用効果が特に効果的に発揮される。
【００１２】
このとき、支持部の軸方向一端部に着脱可能に固定されるアームをさらに備え、アームは、軸方向に沿って真っ直ぐ延びる基端部と、基端部に連続し且つ軸方向に沿って弓状に延びる中間部と、中間部に連続し且つ基端部側に向けて湾曲するように延びる先端部と、を含んで構成され、アームの先端部の端面には、ゲルマニウムを含む材料からなる錐状凸部が形成されていることが好ましい。この場合、アームを支持部に固定することで、アームの先端部の錐状凸部によって、例えば身体の手の届き難い部位（首筋、肩、背中等）を所望に直接押圧することも可能となる。
【００１３】
また、把持部の軸方向他端面には、ゲルマニウムを含む材料からなる錐状凸部が形成されていることが好ましい。この場合、例えば他の作業をしながらでも、把持部の軸方向他端面の錐状凸部によって身体を気軽に直接押圧することも可能となる。
【００１４】
また、軸方向と交差する方向に並設された第１ローラ部及び第２ローラ部をローラ部として備えており、支持部は、板状を呈し、第１及び第２ローラ部の両端部を軸方向に挟むように一対設けられ、把持部は、棒状を呈し、軸方向と平行になるように一対の支持部間に固定されている場合がある。このようなローラ器具は、太腿や腹部周りの部位に対し特に好適に使用することができ、太腿や腹部周りの部位に対し上記作用効果が特に効果的に発揮される。
【００１５】
このとき、第１ローラ部の第１、第２及び第３側面は、第１回転方向に沿って１つおきに配されていると共に、第２ローラ部の第１、第２及び第３側面は、第１回転方向と反対の第２回転方向に沿って１つおきに配されていることが好ましい。これにより、第１及び第２ローラ部の側面を使用者の身体に当てつつ、第１及び第２ローラ部を第１回転方向（又は、第２回転方向）に回転させながら移動させることにより、「もみ込む」効果と「もみ出す」効果との双方が身体に加わることとなる。よって、蓄積された老廃物等が一層積極的に流れ出すような刺激を使用者の身体に与え、使用者の血行及びリンパの流れをより一層スムーズにすることができる。
【発明の効果】
【００１６】
本発明によれば、健康又は美容に対し高い効力を発揮でき、且つ低コスト化が可能となる。
【図面の簡単な説明】
【００１７】
【図１】本発明の第１実施形態に係るローラ器具を示す分解正面図である。
【図２】図１のローラ器具の本体を示す一部断面正面図である。
【図３】図１のローラ器具の本体を示す右側面図である。
【図４】図１のIV−IV線に沿っての断面図である。
【図５】図１のローラ器具の本体におけるローラの側面を展開して示した図である。
【図６】図１のローラ器具の使用方法を説明するための図である。
【図７】本発明の第２実施形態に係るローラ器具を示す斜視図である。
【図８】図７のローラ器具を示す一部断面正面図である。
【図９】図７のローラ器具を示す右側面図である。
【図１０】図８のX−X線に沿っての断面図である。
【図１１】図７のローラ器具における第１ローラ及び第２ローラの側面を展開して示した図である。
【図１２】図７のローラ器具の使用方法を説明するための図である。
【発明を実施するための形態】
【００１８】
以下、図面を参照しながら、本発明の好適な実施形態について詳細に説明する。なお、以下の説明では、同一又は相当要素には同一符号を付し、重複する説明は省略する。また、「上」「下」「左」「右」の語は、図面に示す状態に基づいており、便宜的なものである。
【００１９】
［第１実施形態］
図１は本発明の第１実施形態に係るローラ器具を示す分解正面図であり、図２，３は図１のローラ器具の本体を示す一部断面正面図、右側面図であり、図４は図３のIV−IV線に沿っての断面図、図５はローラの側面を展開して示した図である。図１〜図４に示すように、ローラ器具１は、使用者の肩こりや筋肉痛の低減、疲労回復、たるみ改善又は痩身等を図るものである。本実施形態のローラ器具１は、特に、肩や顔周りの部位に対し特に好適に使用できるものである。
【００２０】
図１，２に示すように、ローラ器具１は、ローラ（ローラ部）２、シャフト（支持部）３、及びハンドル（把持部）４を概略備えた本体２５を具備し、ローラ２がシャフト３によってハンドル４に回動可能に取付けられている。このローラ器具１は、使用者がハンドル４を握ってローラ２の側面５を使用者の身体に当て、ローラ２を回転させながら移動させることで使用される。
【００２１】
図２に示すように、ローラ２は、使用者に当接される部分であり、軸Ｇを中心軸とする六角柱状外形を呈している。このローラ２は、使用者に接触する接触面として、６つの側面５を有している。ローラ２は、例えば、桧等の木材で形成され、その長さが７５ｍｍとされている。
【００２２】
このローラ２には、軸Ｇに沿って貫通孔６が形成されている。貫通孔６は、シャフト３を挿通するものであり、円形断面とされている。このローラ２の軸Ｇに沿う方向（以下、「軸方向」という）の一端側（図示左側）の一端面２ａには、後述の取付け金具７を挿通するためものとして、貫通孔６よりも大径の円形凹部８が形成されている。また、ローラ２において軸方向の一端側の角部は、曲面加工（Ｒ面取り）が施されて曲面形状を呈している。
【００２３】
シャフト３は、ローラ２を軸Ｇ回りに回動可能に支持するためのものである。シャフト３は、例えば、ＳＵＳ材等の金属で形成されている。このシャフト３の外周面３ｃには、雄螺子９が全域に亘り形成されている。
【００２４】
このようなシャフト３は、ローラ２と同軸にして該ローラ２の貫通孔６に所定の隙間を有して内挿されている。これにより、ローラ２は、シャフト３に対し軸Ｇ回りに相対的に回動可能とされる。すなわち、ローラ２は、軸Ｇを回転軸として、回転方向Ａ及び回転方向Ｂの双方に回転自在とされている。そして、貫通孔６にシャフト３が挿通された状態で、ローラ２を軸方向に挟むよう取付け金具７及びパイプ１０がシャフト３に取付けられている。これにより、ローラ２の軸方向の移動が規制され、ローラ２がシャフト３から抜け出ないようになっている。
【００２５】
取付け金具７は、例えばＳＵＳ材等の金属で形成され、軸Ｇを中心軸と延びる円筒部１１と、円筒部１１の外周面における軸方向の一端部に設けられた笠状の頭部１２と、を含んで構成されている。円筒部１１の内周面１１ｄにおいて軸方向の中央部から他端に亘る領域には、雌螺子１３が形成されている。雌螺子１３内の軸方向中央部には、ホロセット（螺子止め）１４が設けられている。これにより、雌螺子１３内においてホロセット１４を介して軸方向の一端側が、後述の押圧アーム１５（図１参照）を固定するための雌螺子１３ａを構成する。一方、雌螺子１３内においてホロセット１４を介して軸方向の他端側が、シャフト３の雄螺子９に螺合する雌螺子１３ｂを構成する。
【００２６】
このような取付け金具７は、ローラ２の円形凹部８に所定の隙間を有して同軸で内部挿されると共に、その内周面１１ｄの雌螺子１３ｂにシャフト３の雄螺子９が螺合されている。これにより、取付け金具７は、シャフト３に同期回転可能に固定されることとなる。
【００２７】
パイプ１０は、例えばＳＵＳ材等の金属で形成され、その内周面１０ｄには、雌螺子１６が形成されている。このパイプ１０は、シャフト３に同軸で外挿され、その雌螺子１６にシャフト３の雄螺子９が螺合されている。これにより、パイプ１０は、ローラ２の回動を阻害せず且つローラ２が軸方向にズレないように、取付け金具７と協働してローラ２を軸方向に挟み込むこととなる。
【００２８】
ハンドル４は、使用者が握るグリップとして機能するものであり、例えば桧等の木材で形成されている。このハンドル４には、シャフト３が挿通するものとして、軸Ｇを中心軸として延びる円形断面の貫通孔１７が形成されている。そして、ハンドル４の軸方向の他端面４ｂには、貫通孔１７よりも大径の円形凹部１８が形成されている。この円形凹部１８には、貫通孔１７を密閉するようハンドル台座１９が嵌合されて固定されている。
【００２９】
ハンドル台座１９は、例えばＳＵＳ材等の金属で形成されており、軸Ｇを中心軸として延びる円筒部２０と、円筒部２０の外周面において軸方向の他端部に設けられた鍔部２１と、を含んで構成されている。円筒部２０の内周面２０ｄには、シャフト３の雄螺子９に螺合する雌螺子２２が形成されている。図２，３に示すように、この円筒部２０の軸方向の他端面２０ｂには、後述のゲルマニウム粒３０を固定するためのものとして、内周面２０ｄよりも大径の円形凹部２３が形成されている。また、雌螺子２２内の軸方向の他端部には、ホロセット２４が設けられている。鍔部２１は、ハンドル４の他端面４ｂに当接されている。
【００３０】
図２に戻り、このようなハンドル４は、シャフト３に同軸で外挿されてローラ２に並設されると共に、ハンドル台座１９の雌螺子２２にシャフト３の雄螺子９が螺合されている。そして、ハンドル４の軸方向の一端面４ａが、パイプ１０に当接されている。これにより、ハンドル台座１９及び取付け金具７でハンドル４が軸方向に挟持され、その結果、ハンドル４がシャフト３に同期回転可能に固定されることとなる。
【００３１】
ここで、図４に示すように、ローラ２において回転方向Ａに沿って１つおきにこの順で配された側面５ａ，５ｂ，５ｃには、ゲルマニウムを含む材料からなるゲルマニウム粒（錐状凸部）３０が設けられている。
【００３２】
ここでのゲルマニウム粒３０は、その純度が９９質量％とされた高純度のゲルマニウム（Ｇｅ）である。なお、ゲルマニウム粒３０には、例えばステンレス等の材料が、ゲルマニウムを固形化するために１質量％含まれている。ゲルマニウム粒３０は、円形のチップ状を呈しており、その一端面３１が円錐状を呈している。つまり、ゲルマニウム粒３０の一端面３１が円錐側面（錐側面）を構成する（以下、円錐側面３１と称す）。このゲルマニウム粒３０は、ローラ２の側面５ａ，５ｂ，５ｃに設けられた円形凹部３２にローラ台座３３を介して固定されている。
【００３３】
具体的には、ローラ台座３３は、例えばＳＵＳ材等の金属で形成されており、円柱部３４と、円柱部３４の外周面の端部に設けられた鍔部３５と、含んで構成されている。円柱部３４の鍔部３５側の端面３４ａには、円形凹部３６が形成されている。そして、円錐側面３１が露出するようにゲルマニウム粒３０がローラ台座３３の円形凹部３６に嵌合されて固定されると共に、鍔部３５が側面５ａ，５ｂ，５ｃに当接されつつローラ台座３３が円形凹部３２に嵌合されて固定されている。これにより、ゲルマニウム粒３０は、側面５ａ，５ｂ，５ｃに円錐状で突出するよう固定されることとなる。
【００３４】
図５に示すように、ゲルマニウム粒３０は、側面（第１側面）５ａに１つ設けられた第１ゲルマニウム粒（第１錐状凸部）３０ａと、側面（第２側面）５ｂに軸方向に沿って一対設けられた第２ゲルマニウム粒（第２錐状凸部）３０ｂ，３０ｂと、側面（第３側面）５ｃに軸方向に沿って一対設けられた第３ゲルマニウム粒（第３錐状凸部）３０ｃ，３０ｃと、を含んで構成されている。
【００３５】
第１ゲルマニウム粒３０ａは、側面５ａにおける軸方向の中央部Ｒ１に形成されている。第２ゲルマニウム粒３０ｂ，３０ｂは、側面５ｂにおける軸方向の中央部Ｒ１と一端部Ｒ３１との間Ｒ２１、及び中央部Ｒ１と他端部Ｒ３２との間Ｒ２２に形成されている。そして、第３ゲルマニウム粒３０ｃ，３０ｃは、側面５ｃにおける軸方向の一端部Ｒ３１及び他端部Ｒ３２に形成されている。すなわち、第１ゲルマニウム粒３０ａは第２ゲルマニウム粒３０ｂ，３０ｂ間に位置するよう配置され、第２ゲルマニウム粒３０ｂ，３０ｂは第３ゲルマニウム粒３０ｃ，３０ｃ間に位置するよう配置されている。
【００３６】
これにより、身体に接触する一対のゲルマニウム粒３０，３０は、その間隔が回転方向Ａに回転するに連れて狭まるように（回転方向Ｂに回転するに連れて拡がるように）構成されている。換言すると、ゲルマニウム粒３０は、回転方向Ａに進むに連れて、軸方向の中央部Ｒ１から一端側及び他端側に傾斜する２つのラインＬ１，Ｌ２上に位置するようなパターンで側面５に配置されている。つまり、配置されたゲルマニウム粒３０で正三角形の縁が形成されるようになっている。その結果、ゲルマニウム粒３０は、回転方向Ａ（又は、回転方向Ｂ）において重ならないように、軸方向に互いに離れて配置されている。
【００３７】
また、図３に示すように、ハンドル４の軸方向の他端面４ｂにも、ゲルマニウム粒３０が設けられている。具体的には、円錐側面３１が露出するようにゲルマニウム粒３０がハンドル台座１９の円形凹部２３に嵌合されて固定され、これにより、ゲルマニウム粒３０がハンドル４の他端面４ｂから円錐状で突出するよう固定されている。
【００３８】
また、図１に示すように、本実施形態のローラ器具１では、押圧アーム（アーム）１５が本体２５のシャフト３の軸方向一端部に着脱可能に取り付けられ、この押圧アーム１５によって、使用者の首筋、肩、背中等が所望に直接押圧される。押圧アーム１５は、例えばＳＵＳ材等の金属で形成されており、円形断面を呈している。この押圧アーム１５は、基端部４１、中間部４２及び先端部４３を有している。
【００３９】
基端部４１は、軸方向に沿って真っ直ぐ延在する。この基端部４１の外周面４１ｃにおける基端側には、取付け金具７に固定するための雄螺子４４が形成されている。中間部４２は、基端部４１に連続し且つ軸方向に沿って弓状に延在する。先端部４３は、中間部４２に連続し且つ基端部４１側に向けて湾曲するように延在する。先端部４３の外周面４３ｃにおける先端側には、アーム台座４５を固定するための雄螺子４６が形成されている。
【００４０】
アーム台座４５は、身体に接触する部分であり、先端側に狭まる円錐台形状を呈している。このアーム台座４５の後端面４５ａには、内周面に雌螺子４７が設けられた円形凹部４８が設けられている。一方、アーム台座４５の先端面４５ｂには、円錐側面３１が露出して先端側に円錐状で突出するように、ゲルマニウム粒３０が埋設され固定されている。このアーム台座４５は、その円形凹部４８の雌螺子４７に先端部４３の雄螺子４６が螺合され、先端部４３に固定されている。
【００４１】
このような押圧アーム１５は、その基端部４１が取付け金具７の円筒部１１の内周面１１ｄ（図２参照）に挿入されると共に、その雄螺子４４が雌螺子１３ａ（図２参照）に螺合する。これにより、押圧アーム１５は、シャフト３に着脱可能に固定されることなる。
【００４２】
次に、本実施形態の使用方法について説明する。最初に、押圧アーム１５を取り外した状態での使用について説明する。
【００４３】
まず、使用者の左半身側（図示右側）に対する使用について説明する。図６（ａ）に示すように、ハンドル４を握り、左半身側（図示右側）の鎖骨上方にて三角形に窪んだ凹部Ｐ１（リンパ節のツボ）に、軸方向を左右方向にしてローラ２の側面５を当てる。そして、鎖骨に軽く当てながら上下方向に所定回数（例えば、５０回）ローラ２を回転方向Ａ，Ｂに回転させながら往復移動させる（矢印Ｓ１）。これにより、リンパの流れを活性化させる。
【００４４】
続いて、軸方向を左右方向にしてローラ２の側面５を耳たぶの付け根Ｐ２に当てる。そして、耳たぶの付け根Ｐ２から凹部Ｐ１に亘って、上下方向に所定回数（例えば、５０回）ローラ２を回転方向Ａ，Ｂに回転させながら往復移動させる（矢印Ｓ２）。これにより、顔及び顔周りに蓄積された老廃物、脂肪、余剰水分及び毒素等の少なくとも１つ（以下、「老廃物等」という）を顎先Ｐ３側に移動させる。
【００４５】
続いて、軸方向を上下方向にしてローラ２の側面５を顎先Ｐ３に当てる。そして、顎先Ｐ３から耳たぶの付け根Ｐ２に亘って、左右方向に所定回数（例えば、５０回）ローラ２を回転方向Ａ，Ｂに回転させながら往復移動させる（矢印Ｓ３）。
【００４６】
続いて、再度、ローラ２の側面５を耳たぶの付け根Ｐ２に当て、耳たぶの付け根Ｐ２から凹部Ｐ１に亘って上下方向に所定回数（例えば、５０回）ローラ２を回転させながら往復移動させる（矢印Ｓ４）。
【００４７】
以上によって、顔及び顔周りの老廃物等が首筋を通って上方から下方へと流動されているため、再度、リンパ節のツボである凹部Ｐ１にローラ２の側面５を当て、鎖骨に軽く当てながら上下方向に掻き出すよう所定回数（例えば、６０回）ローラ２を回転方向Ａ，Ｂ回転させながら往復移動させる（矢印Ｓ５）。
【００４８】
そして、上記矢印Ｓ１〜Ｓ５の工程を右半身側（図示左側）に同様に実施する。その結果、使用者の顔及び顔周りの血行及びリンパの流れがスムーズとなり、顔のたるみやむくみの低減が図られると共に、小顔の実現が図られることとなる。
【００４９】
なお、ローラ２の回転の際には、身体を押圧するような力をローラ２に加えずに軽く当てることが好ましい。また、上記においては、使用者の左半身側から上記矢印Ｓ１〜Ｓ５の工程を実施しているが、右半身側から実施してもよく、これらは順不同である（以下、同じ）。
【００５０】
或いは、上述した使用態様の他に、次の使用態様でローラ器具１を使用する場合もある。すなわち、図６（ｂ）に示すように、軸方向を上下方向にして口元Ｐ４にローラ２の側面５を当てる。そして、口元Ｐ４から頬Ｐ５を通って耳Ｐ６に至る範囲で、左右方向に所定回数（例えば、５０回）ローラ２を回転させながら往復移動させる（矢印Ｓ６）。このとき、頬Ｐ５を上げるようにローラ２を移動させる。
【００５１】
続いて、軸方向を上下方向にして目元Ｐ７にローラ２の側面５を当て、目元Ｐ７から耳Ｐ６に至る範囲で、左右方向に所定回数（例えば、５０回）ローラ２を回転させながら往復移動させる（矢印Ｓ７）。そして、軸方向を左右方向にして眉毛の上部Ｐ８にローラ２の側面５を当て、眉毛の上部Ｐ８から髪の生え際Ｐ９に至る範囲で、上下方向に所定回数（例えば、５０回）ローラ２を回転させながら往復移動させる（矢印Ｓ８）。
【００５２】
その結果、使用者の顔が引き締められ、顔のハリの向上及び顔のしわの低減が図られることとなる。なお、上記矢印Ｓ６，Ｓ７の工程は、使用者の左半身側と右半身側との双方に実施することが好ましい。
【００５３】
次に、押圧アーム１５を取り付けて使用する場合に説明する。まず、押圧アーム１５の基端部４１を、シャフト３の取付け金具７の内周面１１ｄに同軸に挿入する。これと共に、基端部４１の雄螺子４４を、取付け金具７の雌螺子１３ａに螺合し、取付け金具７とが一体になるよう押圧アーム１５を固定する。
【００５４】
この状態で、ハンドル４を握り、押圧アーム１５のアーム台座４５のゲルマニウム粒３０を、例えば手の届き難い首筋、肩又は背中等のツボに接触させる。そして、ハンドル４に所望な力をかけることで、アーム台座４５によってツボが所望に（心地よい程度の圧力で）押圧されつつ、かかるツボにゲルマニウム効果が及ぶこととなる。
【００５５】
以上、本実施形態のローラ器具１では、身体に蓄積された老廃物等がリンパ節（凹部）Ｐ１へ向かうように、ローラ２の側面５を顔及び顔周りの部位に適宜当てつつ、ローラ２を回転方向Ａ，Ｂに回転させながら適宜移動させている（上記矢印Ｓ１〜Ｓ５の工程）。これにより、ゲルマニウム効果によって老廃物等を揉みほぐすと共に、ローラ２の外形及びゲルマニウム粒３０の形状（エッジ）によって身体に適度な押圧刺激を加えて老廃物等をさらに揉みほぐし、そして、かかる老廃物等をリンパ節Ｐ１へと好適に流すことができる。
【００５６】
このとき、本実施形態においては、上述したように、第１ゲルマニウム粒３０ａが第２ゲルマニウム粒３０ｂ，３０ｂ間に位置するよう配置され、第２ゲルマニウム粒３０ｂ，３０ｂが第３ゲルマニウム粒３０ｃ，３０ｃ間に位置するよう配置されている。よって、身体に当たる一対のゲルマニウム粒３０，３０にあっては、ローラ２の回転方向Ａの回転に伴ってその間隔が狭まるように、又はローラ２の回転方向Ｂの回転に伴って拡がるようになっている。従って、ローラ２を回転させながら移動させると、蓄積された老廃物等が積極的に流れ出すような「もみ出す」又は「もみ込む」効果を身体に与えることができる。
【００５７】
従って、本実施形態によれば、老廃物等や筋肉を柔らかく揉みほぐして流し、使用者の血行及びリンパの流れを一層スムーズにすることができ、例えば身体のこり、疲労、筋肉痛、むくみ（セルライト）、又は顔のたるみ等を好適に低減することが可能となる。また、新陳代謝を高め、利尿作用を高めることができる。その結果、健康又は美容に対し高い効力を発揮することが可能となる。
【００５８】
ここで、上述したように、ゲルマニウム粒３０は側面５ａ，５ｂ，５ｃから円錐状に突出する円錐状凸部（錐状凸部）とされ、ゲルマニウム効果を生じさせる面は円錐側面３１とされている。よって、ゲルマニウム効果は、通常、面から垂直方向に向けて及ぶことから、ゲルマニウム粒３０の突出方向上方（突出する方向から見てゲルマニウム粒３０が設けられた領域）だけでなく、ゲルマニウム粒３０の周辺にまで、ゲルマニウム効果を好適に及ぼすことができる。つまり、ゲルマニウム粒３０は、その円錐側面３１に起因して、押圧刺激を好適に与えるだけでなく、ゲルマニウム効果を広範囲に及ぼすことができるのである。
【００５９】
その結果、ローラ２の全ての側面５にゲルマニウム粒３０を形成せず、本実施形態のように１つおきに配された側面５ａ，５ｂ，５ｃのみにゲルマニウム粒３０を形成しても、充分なゲルマニウム効果を得ることができる。よって、ゲルマニウム粒３０の総数を低減でき、低コスト化が可能となる。なお、ゲルマニウムは比較的高価なものであることから、ゲルマニウム粒３０の総数低減は、低コスト化に対し特に有効である。
【００６０】
さらに、上述したように、ゲルマニウム粒３０が回転方向Ａ，Ｂにおいて重ならないよう軸方向に互いに離れて配置されているため、ローラ２の側面５を使用者の身体に当てつつローラ２を回転させながら移動させたとき、一のゲルマニウム粒３０による押圧刺激及びゲルマニウム効果が、他のゲルマニウム粒３０による押圧刺激及びゲルマニウム効果と重なるということ（いわゆる、効果ロス）が少なくなる。よって、ゲルマニウム粒３０を効率よく適正な数で配置でき、低コスト化が一層可能となる。なお、この作用効果にあっては、本実施形態のようにゲルマニウム効果が広範囲に及ぶ場合には効果ロスが発生し易いため、顕著である。
【００６１】
さらに、本実施形態では、上述したように、ローラ２の側面５を顔に適宜当てつつ、ローラ２を回転方向Ａ，Ｂに回転させながら適宜移動させている（上記矢印Ｓ６〜Ｓ８の工程）。これにより、ゲルマニウム効果、ローラ２の外形及び、ゲルマニウム粒３０の形状によって引締め効果をも発揮させることができ、顔のハリの向上及び顔のしわの低減が可能となる。
【００６２】
また、本実施形態では、上述したように、第１ゲルマニウム粒３０ａが、側面５ａにおける軸方向の中央部Ｒ１に位置し、第２ゲルマニウム粒３０ｂが、側面５ｂにおける軸方向の中央部と一端部との間Ｒ２１及び中央部と他端部との間Ｒ２２に位置し、第３ゲルマニウム粒３０ｃが、側面５ｃにおける軸方向の一端部Ｒ３１及び他端部Ｒ３２に位置している。よって、接触するゲルマニウム粒３０，３０の間隔の変化が、ローラ２の回転に伴って最も大きくなるように構成されている。従って、「もみ出す」又は「もみ込む」効果を特に効果的に身体に与えることができ、健康又は美容に対し一層高い効力を発揮することが可能となる。
【００６３】
また、本実施形態では、上述したように、ローラ２が六角柱状外形を呈することから、ローラ２の側面５を身体に当てつつローラ２を回転させながら移動させたとき、一層適度な押圧刺激がローラ２の外形に起因して身体に加えられることとなる。
【００６４】
また、本実施形態では、上述したように、押圧アーム１５がシャフト３の取付け金具７に着脱可能とされている。つまり、本実施形態は、ローラ部分としてのローラ２と、タッチ部分としての押圧アーム１５と、が着脱自在となっている。そして、押圧アーム１５を取り付けることで、その先端部４３のゲルマニウム粒３０によって、身体の手の届き難いツボを所望に直接押圧することも可能となる。これにより、ツボが所望に押圧されながら該ツボにゲルマニウム効果が作用され、その結果、身体のコリ（肩コリ等）の低減や疲労回復が可能となる。
【００６５】
なお、本実施形態では、押圧アーム１５がシャフト３の取付け金具７に螺合されることから、シャフト３に固定されているハンドル４を回すことで螺合及び螺合解除を実現でき、押圧アーム１５を容易に着脱することができる。
【００６６】
また、本実施形態では、上述したように、ハンドル４の軸方向の他端面４ｂにゲルマニウム粒３０が設けられている。よって、例えば、他の作業を行いながら、又は寛ぎながらでも、本体２５に押圧アーム１５を取り外し又は取り付けた状態でローラ器具１のハンドル４のゲルマニウム粒３０を身体のツボに当て、ツボを気軽に直接押圧することも可能となる。
【００６７】
なお、ゲルマニウム効果に含まれる遠赤外線効果やマイナスイオン効果によって、ゲルマニウム粒３０に接触する部位及びその周辺部位が温められることから、老廃物等を揉みほぐして流す上記効果は、特に有効なものである。
【００６８】
［第２実施形態］
次に、本発明の第２実施形態について説明する。本実施形態の説明においては、上記実施形態と同様な説明を省略し、異なる点について主に説明する。
【００６９】
図７〜９は本発明の第２実施形態に係るローラ器具を示す斜視図、一部断面正面図、右側面図であり、図１０は図８のX−X線に沿っての断面図であり、図１１は第１及び第２ローラの側面を展開して示した図である。図７，８に示すように、本実施形態のローラ器具５０は、太腿、腹部周り及び腕周りの部位（首から下の部分）に対して、特に好適に使用できるものである。
【００７０】
ローラ器具５０は、第１及び第２ローラ（第１ローラ部，第２ローラ部）５１１，５１２、一対の支持板（支持部）５２，５２、及びグリップ（把持部）５３を概略備え、第１及び第２ローラ５１１，５１２が支持板５２，５２によって回動可能に支持されていると共に、支持板５２，５２にグリップ５３が固定されている。
【００７１】
第１及び第２ローラ５１１，５１２は、例えば、アルミニウムで形成され、その長さが約１００ｍｍとされている。第１及び第２ローラ５１１，５１２の軸方向の一端面５１ａ１，５１ａ２及び他端面５１ｂ１，５１ｂ２のそれぞれには、円形凹部８５が形成されている。円形凹部８５の内周面には、雌螺子５４が形成されている。これら第１及び第２ローラ５１１，５１２は、その一端面５１ａ１，５１ａ２同士（他端面５１ｂ１，５１ｂ２同士）が同一平面上に位置するように、所定距離だけ離れて並設されている。
【００７２】
図９に示すように、支持板５２は、略三角形形状の板材であり、例えばアルミニウムで形成されている。支持板５２の下方の２つの隅部には、第１及び第２ローラ５１１，５１２の円形凹部８５に連通する貫通孔５５（図８参照）が形成されている。また、支持板５２の上方の隅部には、グリップ５３の円形凹部５６（後述）に連通する貫通孔５７（図８参照）が形成されている。
【００７３】
図７，８に示すように、このような支持板５２，５２は、第１及び第２ローラ５１１，５１２を挟むよう並設されると共に、その貫通孔５５にビス５８が相対回動可能に挿通されている。これと共に、ビス５８が第１及び第２ローラ５１１，５１２の円形凹部８５にそれぞれ挿入され、ビス５８の外周面５８ｃの雄螺子５９が雌螺子５４に螺合されている。これにより、ビス５８は、第１及び第２ローラ５１１，５１２のそれぞれと同期回転可能に固定される。その結果、第１及び第２ローラ５１１，５１２は、支持板５２，５２に対しそれぞれ独立して相対回動可能に固定されることとなる。
【００７４】
なお、このビス５８には、ワッシャ６０，６１が取り付けられている。ワッシャ６０は、第１ローラ５１１と支持板５２との間及び第２ローラ５１２と支持板５２との間に介在され、ワッシャ６１は支持板５２とビス５８の頭部６２との間には介在されている。
【００７５】
グリップ５３は、円形棒状を呈し、例えばアルミニウムで形成されている。このグリップ５３の外周面５３ｃは、使用者が握り易いよう波状を呈している。グリップ５３の両端面５３ａ，５３ｂには、円形凹部５６が形成されている。円形凹部５６の内周面には、雌螺子６４が形成されている。
【００７６】
このグリップ５３は、その長手方向を軸方向と平行にし、且つその円形凹部６３が支持板５２の貫通孔５７に連通するように支持板５２，５２間に配置されている。そして、貫通孔５７及び円形凹部６３にビス６５が挿入され、円形凹部６３の雌螺子６４にビス６５の外周面６５ｃの雄螺子６６が螺合されている。これにより、グリップ５３が支持板５２，５２に固定されることとなる。なお、このビス６５には、その頭部６７と支持板５２と間に介在されるようワッシャ６８が取り付けられている。
【００７７】
図１０，１１に示すように、第１ローラ５１１において、側面６９１のうち回転方向Ａに沿って１つおきにこの順で配された側面６９ａ１，６９ｂ１，６９ｃ１には、上記ゲルマニウム粒３０と同様なゲルマニウム粒７０が設けられている。また、第２ローラ５１２において、側面６９２のうち回転方向Ｂに沿って１つおきに配された側面６９ａ２，６９ｂ２，６９ｃ２には、上記ゲルマニウム粒３０と同様なゲルマニウム粒７０が設けられている。
【００７８】
このゲルマニウム粒７０は、各側面（第１側面）６９ａ１，６９ａ２にて軸方向に沿って一対設けられた第１ゲルマニウム粒（第１錐状凸部）７０ａ，７０ａと、各側面（第２側面）６９ｂ１，６９ｂ２にて軸方向に沿って一対設けられた第２ゲルマニウム粒（第２錐状凸部）７０ｂ，７０ｂと、各側面（第３側面）６９ｃ１，６９ｃ２にて軸方向に沿って一対設けられた第３ゲルマニウム粒（第３錐状凸部）７０ｃ，７０ｃと、を含んで構成されている。
【００７９】
第１ゲルマニウム粒７０ａ，７０ａは、側面６９ａ１，６９ａ２における軸方向の中央部Ｒ１に形成されている。第２ゲルマニウム粒７０ｂ，７０ｂは、側面６９ｂ１，６９ｂ２における軸方向の中央部Ｒ１と一端部Ｒ３１との間Ｒ２１、及び軸方向の中央部Ｒ１と他端部Ｒ３２との間Ｒ２２に形成されている。そして、第３ゲルマニウム粒７０ｃ，７０ｃは、側面６９ｃ１，６９ｃ２における軸方向の一端部Ｒ３１及び他端部Ｒ３２に形成されている。すなわち、第１ゲルマニウム粒７０ａ，７０ａは第２ゲルマニウム粒７０ｂ，７０ｂ間に位置するよう配置され、第２ゲルマニウム粒７０ｂ，７０ｂは第３ゲルマニウム粒７０ｃ，７０ｃ間に位置するよう配置されている。
【００８０】
これにより、第１ローラ５１１において身体に接触するゲルマニウム粒７０，７０は、その間隔が回転方向Ａに回転するに連れて狭まるように（回転方向Ｂに回転するに連れて拡がるように）構成されている。一方、第２ローラ５１２において身体に接触するゲルマニウム粒７０，７０は、その間隔が回転方向Ａに進むに連れて拡がるように（回転方向Ｂに回転するに連れて狭まるように）構成されている。換言すると、第１ローラ５１１のゲルマニウム粒７０と第２ローラ５１２のゲルマニウム粒７０とは、第１及び第２ローラ５１１，５１２間にて軸方向に沿って延びる線を基準に線対称となるようなパターンで配置されている。
【００８１】
なお、ここでの第１及び第２ローラ５１１，５１２、支持板５２及びグリップ５３、又はこれらの少なくとも１つは、純金又は純銀によるメッキ処理が施され、純金メッキ又は純銀メッキで覆われている。
【００８２】
次に、本実施形態の使用方法について図１２を参照しつつ説明する。まず、グリップ５３を握り、身体Ｍの股関節周辺のリンパ節Ｍ１に第１及び第２ローラ５１１，５１２当てる。そして、第１及び第２ローラ５１１，５１２を、回転方向Ａ，Ｂに回転させながらリンパ節Ｍ１上を所定回数（例えば、５０回）往復移動させる（矢印Ｓ１１）。
【００８３】
続いて、身体Ｍの所望な部位（例えば、腹部や太股等の）に第１及び第２ローラ５１１，５１２当て、そして、これら第１及び第２ローラ５１１，５１２を、回転方向Ａ（又は、回転方向Ｂ）に回転させながらリンパ節Ｍ１に向かって所定回数（例えば、５０回）移動させる（矢印Ｓ１２）。
【００８４】
或いは、身体Ｍの脇の下のリンパ節Ｍ２に第１及び第２ローラ５１１，５１２当て、第１及び第２ローラ５１１，５１２を、回転方向Ａ，Ｂに回転させながらリンパ節Ｍ２上を所定回数（例えば、５０回）往復移動させる（矢印Ｓ１３）。そして、身体Ｍの所望な部位（例えば、二の腕や脇、胸部等）に第１及び第２ローラ５１１，５１２当て、これら第１及び第２ローラ５１１，５１２を回転させながらリンパ節Ｍ２に向かって所定回数（例えば、５０回）移動させる（矢印Ｓ１４）。
【００８５】
その結果、ゲルマニウム効果によって老廃物等が揉みほぐされると共に、第１及び第２ローラ５１１，５１２の外形及びゲルマニウム粒７０の形状（エッジ）によって身体に適度な押圧刺激が加えられて老廃物等がさらに揉みほぐされ、老廃物等をリンパ節Ｍ１，Ｍ２へと好適に流すことができる。従って、使用者の血行及びリンパの流れを一層スムーズにすることができ、例えば腹部周り、太腿又は腕周りの疲労、筋肉痛、むくみ（セルライト）等を好適に低減することが可能となる。
【００８６】
ここで、本実施形態では、上述したように、第１ローラ５１１の側面６９ａ１，６９ｂ１，６９ｃ１は、回転方向Ａに沿って１つおきにこの順で配されていると共に、第２ローラ５１２の側面６９ａ２，６９ｂ２，６９ｃ２は、回転方向Ｂに沿って１つおきにこの順で配されている。そして、側面６９ａ１，６９ａ２に設けられた第１ゲルマニウム粒７０ａ，７０ａは、側面６９ｂ１，６９ｂ２に設けられた第２ゲルマニウム粒７０ｂ，７０ｂ間に位置するよう配置され、この第２ゲルマニウム粒７０ｂ，７０ｂは、側面６９ｃ１，６９ｃ２に設けられた第３ゲルマニウム粒７０ｃ，７０ｃ間に位置するよう配置されている。
【００８７】
よって、回転方向Ａに回転させながら第１ローラ５１１が先行するように第１及び第２ローラ５１１，５１２を移動させたときには、「もみ込む」効果の後に「もみ出す」効果が加わるパターンでもって、これら効果の双方が身体Ｍに加わる。他方、回転方向Ｂに回転させながら第１ローラ５１１が先行するように第１及び第２ローラ５１１，５１２を移動させたときには、「もみ出す」効果の後に「もみ込む」効果が加わるパターンでもって、これら効果の双方が身体Ｍに加わることとなる。よって、蓄積された老廃物等が一層積極的に流れ出すような刺激を使用者の身体に与え、使用者の血行及びリンパの流れをより一層スムーズにすることができる。
【００８８】
以上、本発明の好適な実施形態について説明したが、本発明は上記実施形態に限定されるものではない。
【００８９】
例えば、上記第１実施形態では、顔や顔周りの部位に対してローラ２を接触・回転させて使用し、上記第２実施形態では、太腿、腹部周り及び腕周りの部位に対して第１及び第２ローラ５１１，５１２を接触・回転させて使用したが、本発明は、その他の種々の部位にローラ部を接触・回転させて使用することも勿論可能である。よって、本発明では、身体のコリや筋肉痛の低減、疲労回復、たるみ改善又は痩身等を実現できる。
【００９０】
また、上記実施形態では、ローラ部として、六角柱外形のローラ２，５１１，５１２を用いたが、六角柱外形に限定されず、少なくとも６面以上の側面を有する多角柱状外形であればよい。
【００９１】
また、上記実施形態では、錐状凸部として、円錐状に突出するゲルマニウム粒３０，７０を用いたが、円錐状に限定されず、錐状凸部であればよい。
【符号の説明】
【００９２】
１，５０…ローラ器具、２…ローラ（ローラ部）、３…シャフト（支持部，軸体）、４…ハンドル（把持部）、４ｂ…他端面（把持部の軸方向他端面）、５，６９１…側面、５ａ，６９ａ１，６９ａ２…側面（第１側面）、５ｂ，６９ｂ１，６９ｂ２…側面（第２側面）、５ｂ，６９ｃ１，６９ｃ２…側面（第３側面）、１５…押圧アーム（アーム）、３０，７０…ゲルマニウム粒（錐状凸部）、３０ａ，７０ａ…第１ゲルマニウム粒（第１錘状凸部）、３０ｂ，７０ｂ…第２ゲルマニウム粒（第２錘状凸部）、３０ｃ，７０ｃ…第３ゲルマニウム粒（第３錘状凸部）、４１…基端部、４２…中間部、４３…先端部、４５ｂ…先端面（先端部の端面）、５２…支持板（支持部）、５３…グリップ（把持部）、５１１…第１ローラ（第１ローラ部，ローラ部）、５１２…第２ローラ（第２ローラ部，ローラ部）、Ｇ…軸。
【図１】
2011045560.tif 000003
【図２】
2011045560.tif 000004
【図３】
2011045560.tif 000005
【図４】
2011045560.tif 000006
【図５】
2011045560.tif 000007
【図６】
2011045560.tif 000008
【図７】
2011045560.tif 000009
【図８】
2011045560.tif 000010
【図９】
2011045560.tif 000011
【図１０】
2011045560.tif 000012
【図１１】
2011045560.tif 000013
【図１２】
2011045560.tif 000014
【手続補正書】
【提出日】平成22年1月5日(2010.1.5)
【手続補正１】
【補正対象書類名】特許請求の範囲
【補正対象項目名】全文
【補正方法】変更
【補正の内容】
【特許請求の範囲】
【請求項１】
少なくとも６面以上の側面を有する多角柱状外形のローラ部と、
前記ローラ部をその軸回りに回動可能に支持するための支持部と、
前記支持部に固定された把持部と、を備えたローラ器具であって、
前記ローラ部において一の回転方向に沿って１つおきに配された第１、第２及び第３側面のみに、ゲルマニウムを含む材料からなる錐状凸部が設けられており、
前記錐状凸部は、前記ローラ部の第１側面に１つ設けられた第１錘状凸部と、前記ローラ部の第２側面に軸方向に沿って一対設けられた第２錘状凸部と、前記ローラ部の第３側面に軸方向に沿って一対設けられた第３錘状凸部と、含んで構成され、
前記第１錐状凸部は、前記ローラ部の第１側面における軸方向中央部に位置するよう配置され、
前記第２錐状凸部は、前記ローラ部の第２側面における軸方向中央部と軸方向一端部との間、及び軸方向中央部と軸方向他端部との間に位置するよう配置され、
前記第３錐状凸部は、前記ローラ部の第３側面における軸方向一端部及び軸方向他端部に位置するよう配置されていることを特徴とするローラ器具。
【請求項２】
前記ローラ部は、六角柱状外形を呈することを特徴とする請求項１記載のローラ器具。
【請求項３】
前記支持部は、前記ローラ部を回動可能に軸支する軸体であり、その軸方向一端部が前記ローラ部を貫通するように該ローラ部に内挿され、
前記把持部は、棒状を呈し、前記ローラ部に対し同軸で並設されるように前記支持部の軸方向他端部に固定されていることを特徴とする請求項１又は２記載のローラ器具。
【請求項４】
前記支持部の軸方向一端部に着脱可能に固定されるアームをさらに備え、
前記アームは、軸方向に沿って真っ直ぐ延びる基端部と、前記基端部に連続し且つ軸方向に沿って弓状に延びる中間部と、前記中間部に連続し且つ前記基端部側に向けて湾曲するように延びる先端部と、を含んで構成され、
前記アームの先端部の端面には、ゲルマニウムを含む材料からなる錐状凸部が形成されていることを特徴とする請求項３記載のローラ器具。
【請求項５】
前記把持部の軸方向他端面には、ゲルマニウムを含む材料からなる錐状凸部が形成されていることを特徴とする請求項３又は４記載のローラ器具。 
【手続補正２】
【補正対象書類名】明細書
【補正対象項目名】０００７
【補正方法】変更
【補正の内容】
【０００７】
上記課題を解決するため、本発明に係るローラ器具は、少なくとも６面以上の側面を有する多角柱状外形のローラ部と、ローラ部をその軸回りに回動可能に支持するための支持部と、支持部に固定された把持部と、を備えたローラ器具であって、ローラ部において一の回転方向に沿って１つおきに配された第１、第２及び第３側面のみに、ゲルマニウムを含む材料からなる錐状凸部が設けられており、錐状凸部は、ローラ部の第１側面に１つ設けられた第１錘状凸部と、ローラ部の第２側面に軸方向に沿って一対設けられた第２錘状凸部と、ローラ部の第３側面に軸方向に沿って一対設けられた第３錘状凸部と、含んで構成され、第１錐状凸部は、ローラ部の第１側面における軸方向中央部に位置するよう配置され、第２錐状凸部は、ローラ部の第２側面における軸方向中央部と軸方向一端部との間、及び軸方向中央部と軸方向他端部との間に位置するよう配置され、第３錐状凸部は、ローラ部の第３側面における軸方向一端部及び軸方向他端部に位置するよう配置されていることを特徴とする。
【手続補正３】
【補正対象書類名】明細書
【補正対象項目名】０００８
【補正方法】変更
【補正の内容】
【０００８】
この本発明のローラ器具を使用する場合、例えば、把持部を握ってローラ部の側面を使用者の身体に当てつつ、使用者の身体のリンパ節へ向かう血流の流れに沿って、ローラ部を回転させながら移動させる。これにより、錐状凸部に含まれるゲルマニウムに起因した効果（以下、単に「ゲルマニウム効果」という）によって使用者の身体に蓄積された老廃物等（老廃物、脂肪、余剰水分、毒素等）が揉みほぐされると共に、ローラ部の外形及び錐状凸部の形状に起因して身体に適度な押圧刺激が加えられて老廃物等がさらに揉みほぐされつつ、かかる老廃物等がリンパ節へ向けて流される。よって、使用者の血行及びリンパの流れを好適にスムーズにすることができ、例えば身体のこり、疲労、筋肉痛、むくみ（セルライト）、又は顔のたるみ等を好適に低減することが可能となる。
加えて、身体に当たる一対の錐状凸部にあっては、ローラ部の回転に伴ってその間隔が狭まるように又は拡がるようになっている。よって、ローラ部を回転させながら移動させると、蓄積された老廃物等が積極的に流れ出すような「もみ込む」又は「もみ出す」効果を身体に与えることができる。従って、従来技術に対し、使用者の血行及びリンパの流れを一層スムーズにすることができる。その結果、健康又は美容に対し高い効力を発揮することが可能となる。
ここで、上記のように、凸形状が円錐状である錐状凸部が形成されていることから、ゲルマニウム効果を生じさせる面が錐側面となる。そのため、ゲルマニウム効果の及ぶ範囲を、錐状凸部の突出方向上方だけでなく、錐状凸部の周辺にまで拡げることができる。つまり、錐状凸部は、上述の押圧刺激を好適に与えるだけでなく、ゲルマニウム効果を広範囲に及ぼすことができる形状となっている。その結果、ローラ部の全ての側面に錐状凸部を形成せずに、１つおきに配された第１、第２及び第３側面にのみ錐状凸部を形成しても、充分なゲルマニウム効果を得ることができる。よって、錐状凸部の数を低減でき、低コスト化が可能となる。
さらに、第１錐状凸部が第２錘状凸部の間に位置する共に第２錐状凸部が第３錘状凸部の間に位置するよう配置されることになるため、錐状凸部は、回転方向に重ならないよう軸方向に互いに離れて配置されることになる。よって、ローラ部の側面を使用者の身体に当てつつローラ部を回転させながら移動させたとき、一の錐状凸部による押圧刺激及びゲルマニウム効果が、他の錐状凸部による押圧刺激及びゲルマニウム効果と重なることが少なくなる。よって、錐状凸部を効率よく適正な数で配置でき、低コスト化が一層可能となる。
従って、本発明によれば、健康又は美容に対し高い効力を発揮でき、且つ低コスト化が可能となる。
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１７
【補正方法】変更
【補正の内容】
【００１７】
【図１】本発明の第１実施形態に係るローラ器具を示す分解正面図である。
【図２】図１のローラ器具の本体を示す一部断面正面図である。
【図３】図１のローラ器具の本体を示す右側面図である。
【図４】図１のIV−IV線に沿っての断面図である。
【図５】図１のローラ器具の本体におけるローラの側面を展開して示した図である。
【図６】図１のローラ器具の使用方法を説明するための図である。
【図７】本発明の参考実施形態に係るローラ器具を示す斜視図である。
【図８】図７のローラ器具を示す一部断面正面図である。
【図９】図７のローラ器具を示す右側面図である。
【図１０】図８のX−X線に沿っての断面図である。
【図１１】図７のローラ器具における第１ローラ及び第２ローラの側面を展開して示した図である。
【図１２】図７のローラ器具の使用方法を説明するための図である。
【手続補正７】
【補正対象書類名】明細書
【補正対象項目名】００６８
【補正方法】変更
【補正の内容】
【００６８】
［参考実施形態］
次に、本発明の参考実施形態について説明する。本実施形態の説明においては、上記実施形態と同様な説明を省略し、異なる点について主に説明する。
【手続補正８】
【補正対象書類名】明細書
【補正対象項目名】００６９
【補正方法】変更
【補正の内容】
【００６９】
図７〜９は本発明の参考実施形態に係るローラ器具を示す斜視図、一部断面正面図、右側面図であり、図１０は図８のX−X線に沿っての断面図であり、図１１は第１及び第２ローラの側面を展開して示した図である。図７，８に示すように、本実施形態のローラ器具５０は、太腿、腹部周り及び腕周りの部位（首から下の部分）に対して、特に好適に使用できるものである。
【手続補正９】
【補正対象書類名】明細書
【補正対象項目名】００８９
【補正方法】変更
【補正の内容】
【００８９】
例えば、上記第１実施形態では、顔や顔周りの部位に対してローラ２を接触・回転させて使用し、上記参考実施形態では、太腿、腹部周り及び腕周りの部位に対して第１及び第２ローラ５１１，５１２を接触・回転させて使用したが、本発明は、その他の種々の部位にローラ部を接触・回転させて使用することも勿論可能である。よって、本発明では、身体のコリや筋肉痛の低減、疲労回復、たるみ改善又は痩身等を実現できる。